(57)【要約】【課題】複数の筆記体を選択的に繰り出す操作部を周方向で不等間隔に配置した複式筆記具において、筆記体の選択動作の信頼性を向上させること。【解決手段】いずれかのノック棒８の前進移動により当該ノック棒に接続された筆記体５の先端筆記部５ａが、軸筒の先端口４から繰り出されて係止されるように構成されると共に、各ノック棒８の操作部８ａが、前記軸筒の周方向において不等間隔に配置される。  前記各ノック棒８のそれぞれの操作部８ａの配置間隔が最も大きな２つのノック棒の間には、当該ノック棒の前進移動状態におけるノック棒の軸回転を阻止する回転防止壁１１ｆが、前記２つのノック棒の移動方向に沿って配置されている。【選択図】図１
2015066806.tif 000002
【特許請求の範囲】
【請求項１】
軸筒の後端側に軸方向に沿って形成された複数のガイドスリットから、それぞれ操作部が前記軸筒の外側に突出して摺動可能に配置されたノック棒と、当該ノック棒の前端部に各筆記体がそれぞれ接続され、前記ノック棒の前進移動により当該ノック棒に接続された前記筆記体の先端筆記部が、軸筒の先端口から繰り出されて係止されるように構成されると共に、前記各ノック棒の操作部が、前記軸筒の周方向において不等間隔に配置された複式筆記具であって、
前記各ノック棒のそれぞれの操作部の配置間隔が最も大きな２つのノック棒の間には、当該ノック棒の前進移動状態におけるノック棒の軸回転を阻止する回転防止壁が、前記２つのノック棒の移動方向に沿って配置されていることを特徴とする複式筆記具。
【請求項２】
前記各ノック棒のそれぞれの操作部の配置間隔が最も大きな前記２つのノック棒の間における前記軸筒の外側に、軸筒の長手方向に沿ってクリップが配置されていることを特徴とする請求項１に記載された複式筆記具。
【請求項３】
前記軸筒内には、それぞれほぼ同一形状の４本のノック棒が搭載され、前記各ノック棒はそれぞれリターンスプリングにより軸筒の後端部に向かって付勢されていることを特徴とする請求項１または請求項２に記載された複式筆記具。
【請求項４】
前記各ノック棒には、軸方向の後端部側に被押圧突起が形成されると共に、被押圧突起よりも軸方向の前方に係止解除カムがそれぞれ形成され、第１のノック棒が前進移動して係止状態にある時に、第２のノック棒を前進移動させることで、第２のノック棒に形成された係止解除カムが第１のノック棒に形成された被押圧突起を押圧して、第１のノック棒の前記係止状態を解除するように構成され、
操作部の配置間隔が最も大きな前記２つのノック棒のいずれかの前進移動時において、当該ノック棒に形成された前記被押圧突起が、前記ノック棒の回転防止壁に接することで、ノック棒の軸回転が阻止されることを特徴とする請求項１ないし請求項３のいずれか１項に記載された複式筆記具。
【請求項５】
前記軸筒内の後端部には内筒部材が収容され、前記内筒部材には、前記各ノック棒に形成された後端係止部を係止してノック棒に接続された筆記体を前進移動状態に保持する係止面が形成され、前記係止面よりも軸方向の前方位置に前記ノック棒の回転防止壁が、前記内筒部材に形成されていることを特徴とする請求項１ないし請求項４のいずれか１項に記載された複式筆記具。
【発明の詳細な説明】
【技術分野】
【０００１】
この発明は、複数の筆記体を軸筒内に収容し、いずれかの筆記体の先端筆記部を軸筒の先端口より選択的に繰り出すことができる複式筆記具に関する。
【背景技術】
【０００２】
軸筒内に複数の筆記体を収容し、所定の繰り出し操作により、軸筒の先端口からいずれか一つの筆記体の先端筆記部を繰り出す構造の複式筆記具が提供されている。
この複式筆記具における筆記体の繰り出し方式の一つに、ノック式繰り出し方式と呼ばれるものがある。このノック式繰り出し方式は、軸筒の後端部に軸方向に沿って複数のガイドスリットが形成され、これらのガイドスリットに沿ってノック棒の操作部（指掛け部）がそれぞれ外側に突出してスライド可能に配置された構成が採用されている。
そして、軸筒内に配置される各ノック棒の前端部には、筆記体として機能する例えばボールペンリフィールやシャープペンシルリフィールの後端部が、それぞれ嵌合されて装着される。
【０００３】
前記した複式筆記具においては、いずれかのノック棒の操作部を前記ガイドスリットに沿って前方にノック操作（スライド操作）することで、ノック棒に装着された筆記体が軸筒内を前進し、軸筒の先端口から前記筆記体の先端筆記部が繰り出される。
また、いずれかの筆記体の先端筆記部が繰り出されている状態において、他の筆記体のノック棒を前方に向かってノック操作することで、先端筆記部が繰り出されている前記筆記体はリターンスプリングによって後退し、代わって他の筆記体の先端筆記部が軸筒の先端口から繰り出されるように作用する。
【０００４】
前記した複式筆記具においては、衣服のポケット等に装着する利便性を考慮して、その大多数においてクリップが具備されており、さらに昨今においてはインキの多色化が進み、４本もしくはそれ以上のリフィールを軸筒内に収容した商品も提供されている。
例えば、４本のリフィールを備えた複式筆記具によると、４本の操作部（指掛け部）が９０度の等間隔で軸筒から径方向に突出すると共に、さらに９０度間隔の２つの操作部の中間部にクリップが存在することになる。
【０００５】
このために前記したクリップと操作部との間の間隔が狭く、前記クリップが邪魔になって、操作部のスラスド操作がし難いという不具合を抱えることになる。
このような課題を解消するために、クリップの幅寸法を狭くしてクリップの両外側から軸筒側に向かうクリップの背面部分を削ぐように加工することで、クリップとその両外側に位置する各操作部との間の隙間を大きく確保した例が、特許文献１に開示されている。  特許文献１に開示された前記構成によると、クリップに十分な幅寸法を持たせることは不可能となり、クリップの強度不足の問題を招来させると共に、デザイン上においても不満が残るものとなる。
【０００６】
そこで、４本のリフィールを軸筒内に収容すると共に、クリップの両側に位置する操作部については、９０度以上の広い角度をもって配置することで、操作部を周方向で不等間隔に配置した複式筆記具が特許文献２に開示されている。
この複式筆記具によると、クリップの両側における操作部を十分に離して配置することができるので、十分な幅寸法を持たせたクリップを採用することができる。
【先行技術文献】
【特許文献】
【０００７】
【特許文献１】特開２００６−３２６９５５号公報
【特許文献２】特開２０１２−２４０４０９号公報
【発明の概要】
【発明が解決しようとする課題】
【０００８】
ところで、ノック棒を不等間隔に配置した特許文献２に開示の複式筆記具によると、操作部の配置間隔が最も大きな２つのノック棒の内の１つを前進移動させて係止状態とし、この状態で他の１つのノック棒を前進移動させた場合、すでに前進移動されているノック棒に突出して形成された被押圧突起が軸回転して、前進状態のノック棒を外側に押し出すことができず、当該ノック棒の係止状態を解除することができないという不具合が発生する。
【０００９】
このような不具合を避けるために、特許文献２に開示された複式筆記具においては、不等間隔に配置された４本のノック棒に囲まれた中央位置に、スリーブと称する円柱状部材を配置し、細径に形成された可撓性の支持体によって前記円柱状部材を揺動可能に支持した構成が採用されている。
そして、いずれかのノック棒のノック操作に伴い、前記スリーブの円柱状部材を揺動させて、前進状態のノック棒の係止が解除されるように構成されている。
【００１０】
したがって、特許文献２に開示された複式筆記具においては、別部材としてのスリーブを用意し、これを可撓性の前記支持体を介して前記円柱状部材が軸筒内の中央部に位置するように組み付ける必要がある。
それ故、特許文献２に開示された複式筆記具によると、部品点数の増加と共に、スリーブの組み付け工程が必要となり、製造コストの高騰を招くことになる。また、前記スリーブは細径に形成された可撓性の支持体によって円柱状部材を揺動可能に支持する構成であるため、長期の繰り返しの使用によりスリーブが破損し易く、動作の信頼性に欠けるという問題も抱えている。
【００１１】
この発明は、特に特許文献２に開示された従来の複式筆記具の問題点に着目してなされたものであり、クリップの両側に位置する操作部については、広い角度をもって配置することで操作部を周方向で不等間隔に配置した複式筆記具において、前記したスリーブを利用することなくその構成を簡素化させることで、スリーブの存在に起因する前記した問題点を解消することができる複式筆記具を提供することを課題とするものである。
【課題を解決するための手段】
【００１２】
前記した課題を解決するためになされたこの発明に係る複式筆記具は、軸筒の後端側に軸方向に沿って形成された複数のガイドスリットから、それぞれ操作部が前記軸筒の外側に突出して摺動可能に配置されたノック棒と、当該ノック棒の前端部に各筆記体がそれぞれ接続され、前記ノック棒の前進移動により当該ノック棒に接続された前記筆記体の先端筆記部が、軸筒の先端口から繰り出されて係止されるように構成されると共に、前記各ノック棒の操作部が、前記軸筒の周方向において不等間隔に配置された複式筆記具であって、前記各ノック棒のそれぞれの操作部の配置間隔が最も大きな２つのノック棒の間には、当該ノック棒の前進移動状態におけるノック棒の軸回転を阻止する回転防止壁が、前記２つのノック棒の移動方向に沿って配置された構成が採用される。
【００１３】
この場合、好ましくは前記各ノック棒のそれぞれの操作部の配置間隔が最も大きな前記２つのノック棒の間における前記軸筒の外側に、軸筒の長手方向に沿ってクリップが配置された構成が採用される。
加えて、前記した構成の複式筆記具においては、前記軸筒内にはそれぞれ同一形状で同一寸法の４本のノック棒が搭載されていることが望ましく、前記各ノック棒はそれぞれリターンスプリングにより軸筒の後端部に向かって付勢された構成が採用される。
【００１４】
そして好ましい実施の形態においては、前記各ノック棒には、軸方向の後端部側に被押圧突起が形成されると共に、被押圧突起よりも軸方向の前方に係止解除カムがそれぞれ形成され、第１のノック棒が前進移動して係止状態にある時に、第２のノック棒を前進移動させることで、第２のノック棒に形成された係止解除カムが第１のノック棒に形成された被押圧突起を押圧して、第１のノック棒の前記係止状態を解除するように構成され、操作部の配置間隔が最も大きな前記２つのノック棒のいずれかの前進移動時において、当該ノック棒に形成された前記被押圧突起が、前記ノック棒の回転防止壁に接することで、ノック棒の軸回転が阻止されるように構成される。
【００１５】
さらに、好ましい実施の形態においては、前記軸筒内の後端部には内筒部材が収容され、前記内筒部材には、前記各ノック棒に形成された後端係止部を係止してノック棒に接続された筆記体を前進移動状態に保持する係止面が形成され、前記係止面よりも軸方向の前方位置に前記ノック棒の回転防止壁が、前記内筒部材に形成された構成が採用される。
【発明の効果】
【００１６】
前記した構成の複式筆記具によると、ノック棒に形成された操作部の配置間隔が最も大きな２つのノック棒の間には、ノック棒の回転防止壁が配置されているので、前記２つのノック棒のいずれかがノック操作（スライド操作）を受けて前進状態で係止された場合においては、ノック棒に形成された被押圧突起が前記ノック棒の回転防止壁に接して、このノック棒の軸回転（横振れ）が阻止される。
したがって、他の第２のノック棒を前進移動させた時には、第２のノック棒に形成された係止解除カムが、前進状態のノック棒の被押圧突起に確実に当接し、前進状態のノック棒の係止状態を解除することができる。これにより前進状態の筆記体を確実に後退させることが可能となる。
【００１７】
換言すれば、前記したノック棒の回転防止壁が具備されない構成によると、ノック棒の回転による被押圧突起の逃げの空間が形成されるため、第２のノック棒のノック操作により、前進状態のノック棒の係止状態を解除することができない、いわゆる空振り状態が発生し得る。これに対して前記したノック棒の回転防止壁が具備されることで、前記した空振り状態を確実に防止することができ、動作の信頼性を向上させることができる。
【００１８】
したがって、ノック棒の回転防止壁を形成したこの発明に係る複式筆記具によると、前記した特許文献２に開示されたスリーブを利用することなく、その構成を簡素化させることができ、また前記スリーブの存在に起因するすでに説明した問題点を解消することができると共に、動作の信頼性を確保することが可能となる。
【００１９】
また、操作部の配置間隔が最も大きな前記２つのノック棒の間における軸筒の外側に、軸筒の長手方向に沿ってクリップを配置することで、前記クリップに十分な幅寸法を持たせた均衡の整った配置構成を採用することができ、デザイン面においても満足し得る複式筆記具を提供することができる。
【図面の簡単な説明】
【００２０】
【図１】この発明に係る複式筆記具の全体構成を示した外観図および中央断面図である。
【図２】１つのノック棒を前進させた状態の軸筒後部の拡大外観図および中央断面図である。
【図３】図２における矢印ａ−ａ方向に見た状態の拡大断面図である。
【図４】図２における矢印ｂ−ｂ方向に見た状態の拡大断面図である。
【図５】ノック棒とボールペンリフィールの単体構成を示した外観図である。
【図６】軸筒の後端部に収容された内筒部材の斜視図である。
【図７】内筒部材の正面図である
【図８】図７に示す内筒部材を９０度軸回転させた状態の上面図である。
【図９】図７おける矢印ｃ−ｃ方向に見た状態の断面図である。
【図１０】図７に示す内筒部材を前端部側から見た状態の拡大図である。
【図１１】図７おける矢印ｄ−ｄ方向に見た状態の拡大断面図である。
【発明を実施するための形態】
【００２１】
この発明に係る複式筆記具について、筆記体として４本のボールペンリフィールを備えた複式多色ボールペンの実施の形態に基づいて説明する。
図１に全体構成で示しているとおり、この複式筆記具１の外郭を構成する軸筒は、前軸２および後軸３により構成されている。すなわち、前軸２の後端部外周面に形成された雄ネジに対して、後軸３の前端部内周面に形成された雌ネジが螺合して両者が分離可能に連結されている。
【００２２】
前記前軸２は、その先端部が円錐形状に縮径して、先端口４が開口されており、この先端口４よりボールペンリフィール５の先端筆記部（ボールペンチップ）５ａが択一的に繰り出されるように構成されている。また、前記前軸２の外周面にはゴムなどを素材としたグリップ部材６が捲装されて装着されている。
【００２３】
前記後軸３内には、その前端部近くの内周面にスペーサ７が、後軸３内に嵌合されて取り付けられている。図には示されていないが、このスペーサ７には４本のボールペンリフィールの挿通孔がそれぞれ軸方向に独立して形成されており、この挿通孔を介して各ボールペンリフィール５が円滑に前進および後退移動できるように支持されている。
【００２４】
またスペーサ７の後端面は、コイル状に形成されたリターンスプリング（図示せず）の受け部を構成している。このリターンスプリングは、ボールペンリフィール５に捲装され、その他端部がボールペンリフィール５の後端部に接続されたノック棒８の後述するスプリングの受け部に当接した状態で装着されている。
これにより、各ノック棒８およびこれに接続されたボールペンリフィール５は、前記リターンスプリングにより軸筒の後端部側に向かって付勢されている。
【００２５】
また、前記後軸３の後端部には、それぞれ軸方向に沿って４本のガイドスリット９が形成されている。各ガイドスリット９には、前記ノック棒８に形成されたフィン状の操作部８ａが、前記後軸の外側に突出してそれぞれ摺動可能に配置されている。
前記４本のガイドスリット９が形成された後軸３内には、図６〜図１１に単体構成で示した内筒部材１１が収容されており、この内筒部材１１には前記ノック棒８を前進状態に係止する係止面、および前進状態におけるノック棒の軸回転（横振れ）を阻止する回転防止壁等が形成されている。なお前記ノック棒８と内筒部材１１の構成については、後で詳細に説明する。
【００２６】
前記内筒部材１１の後端部は若干細径に形成されて、前記後軸３の後端部より突出して配置され、この内筒部材１１の突出部分を覆うようにして、クリップ１３を一体に形成したキャップ部材１２が嵌合されて取り付けられている。
この場合、前記後軸３の内周面には縦長のリブが形成され、前記内筒部材１１の一部には、縦長の溝が形成されており、前記リブに前記溝が嵌め合わされることで、前記内筒部材１１は後軸３内に位置決めされて取り付けられている。
【００２７】
図２は、１つのノック棒８の前記操作部８ａを前方に摺動させて、前記ノック棒８を前進状態で係止した状態を示している。これにより、このノック棒８に接続されたボールペンリフィール５の先端筆記部５ａは、前軸２の先端口４より繰り出され、筆記可能な状態になされる。
また、図３および図４は、図２における矢印ａ−ａ方向、および矢印ｂ−ｂ方向に見た状態を拡大して示した断面図であり、特に図３に示されているとおり、この実施の形態においては、各ノック棒に形成された操作部が、前記軸筒の周方向において不等間隔に配置されている。
【００２８】
すなわち軸筒（後軸）３の長手方向に沿って配置された前記クリップ１３を挟むようにして配置された２つのノック棒８については、その操作部８ａの周方向の配置間隔が最も大きくなされている。この例においてはクリップ１３の両外側における２つの操作部８ａの周方向の配置間隔は、１０５度に設定されている。
そして、前記クリップ１３の両外側以外のノック棒８の操作部８ａにおいては、隣接する周方向の配置間隔がそれぞれ８５度に設定されている。
【００２９】
前記した操作部８ａの配置構成によると、クリップ１３を中央にした両側の操作部８ａの配置間隔が大きくなされているので、クリップ１３に十分な幅寸法を持たせたバランスのとれた配置構成を採用することができ、デザイン面においても満足し得る複式筆記具を提供することができる。
【００３０】
図５は前記ノック棒８と、このノック棒８の前端部に接続されたボールペンリフィール５の構成を示した外観図である。このノック棒８には、その後端部に前記したフィン状の操作部８ａが軸に直交するように突出して形成されており、またノック棒８の前端部には、ボールペンリフィール５の後端部に嵌合してボールペンリフィール５を連結する連結部８ｂが形成されている。また前記連結部８ｂの直後には、前記したリターンスプリングの受け部８ｃが形成されている。
【００３１】
さらに、ノック棒８の後端部における前記した操作部８ａと背中合わせの位置に、被押圧突起８ｄが形成されると共に、この被押圧突起８ｄよりも若干軸方向の前方に、係止解除カム８ｅが軸に直交するように突出して形成されている。
加えて、前記操作部８ａと被押圧突起８ｄとの境界部が、ノック棒８を前進状態に係止する後端係止部８ｆを構成している。
なお、この実施の形態においては、いずれもほぼ同一形状で構成された図５に示す構成の４本のノック棒８が用いられている。
【００３２】
一方、後軸３内に配置された内筒部材１１は、図６〜図１１に示されているように、その全体がほぼ円筒状に構成されており、その後端部は細径部１１ａになされ、この細径部１１ａに前記したとおり、クリップ１３を備えたキャップ部材１２が嵌め込まれることで、この内筒部材１１は後軸３内に取り付けられている。
また内筒部材１１の前端部は円環部１１ｂを構成し、この円環部１１ｂと細径部１１ａを除いた中央部には、特に図１１に明示されているとおり、軸方向に沿って４本のスリット１１ｃが形成されている。
【００３３】
前記内筒部材１１の後半部には、前記スリット１１ｃの内側面の両側に沿って柱状体１１ｄが立設され、当該柱状体の前端面が、前進状態における前記ノック棒８の後端係止部８ｆを係止する係止面（柱状体と同一の符号１１ｄで示している。）を構成している。
したがって、内筒部材１１に形成された４本の前記スリット１１ｃは、その後半部は前記柱状体１１ｄの存在により実質的にスリット幅が狭い領域を形成し、その前半部は実質的にスリット幅が広い領域を形成している。
【００３４】
加えて、図３に示されているように、各ノック棒のそれぞれの操作部の配置間隔が最も大きな２つのノック棒の間、すなわち前記クリップ１３を中央にした２つのノック棒の間には、前記した係止面１１ｄ上においてさらに軸方向に柱状体１１ｅが立設されて形成されており、この柱状体１１ｅの側面がノック棒の回転防止壁１１ｆ（図１１参照）を構成している。
すなわち、前記係止面１１ｄよりも軸方向の前方位置にノック棒の回転防止壁１１ｆが形成されている。
【００３５】
この構成により、前進移動状態のノック棒８における前記した被押圧突起８ｄが、前記回転防止壁１１ｆに摺接し、ノック棒８における回転防止壁１１ｆ側への軸回転が阻止されるように作用する。
【００３６】
前記した構成において、ノック棒８はその後端部が内筒部材１１の円環部１１ｂ内に挿入され、ノック棒８の被押圧突起８ｄが前記スリット１１の実質的にスリット幅が狭い領域に位置してスライド動作するように配置される。
この状態で、例えばクリップ１３を挟むいずれか一方のノック棒８を、前記操作部８ａを利用して前進移動させた場合、このノック棒８の前記操作部８ａは内筒部材１１に形成された実質的にスリット幅が広い領域に移動して軸芯方向に落ち込む。これにより、ノック棒８の後端係止部８ｆが、前記内筒部材１１に形成された係止面１１ｄに係止される。
【００３７】
図３および図４はその状態を示しており、前進移動状態のノック棒８における前記した被押圧突起８ｄは、内筒部材１１に形成された柱状体１１ｅの側面、すなわち回転防止壁１１ｆに当接して、ノック棒８は前記回転防止壁１１ｆ側への軸回転が阻止される。
【００３８】
この状態で、他の第２のノック棒８を前進移動させると、この第２のノック棒８に形成された係止解除カム８ｅが、すでに前進状態で係止されている第１のノック棒８の被押圧突起８ｄに当接し、第１のノック棒８の後端係止部８ｆを外側に押し出し、第１のノック棒８の係止状態が解除される。
この結果、第１のノック棒８は前記したリターンスプリングの作用により後退し、第２のノック棒８の後端係止部８ｆが、内筒部材１１に形成された係止面１１ｃに係止され、これにより先端口４から繰り出される先端筆記部５ａの交換がなされる。
【００３９】
前記した構成の複式筆記具によると、クリップ１３を間においた周方向の配置間隔が最も大きな２つのノック棒の間には、ノック棒８の回転防止壁１１ｆが配置されているので、前記２つのノック棒のいずれかがノック操作を受けて当該ノック棒が前進状態で係止された場合においては、ノック棒８に形成された被押圧突起８ｄが前記したノック棒の回転防止壁１１ｆに接し、このノック棒の軸回転（横振れ）が阻止される。
【００４０】
したがって、他の第２のノック棒を前進移動させた時には、第２のノック棒に形成された係止解除カム８ｅが、前進状態のノック棒の被押圧突起８ｄに確実に当接し、前進状態のノック棒の係止状態を解除することができる。これにより前進状態の筆記体を確実に後退させることが可能となる。
【００４１】
なお、以上説明した実施の形態においては、後軸３の後端部内に別部材の内筒部材１１が収容され、この内筒部材１１に前進状態のノック棒を係止する係止面１１ｄ、ノック棒の軸回転を阻止する回転防止壁１１ｆなどを形成した構成が採用されている。
しかし前記係止面１１ｄ、回転防止壁１１ｆなどは、後軸３と一体に形成した構成も採用することができ、これによればより部品点数を削減することに寄与できる。
【符号の説明】
【００４２】
１      複式筆記具
２      前軸（軸筒）
３      後軸（軸筒）
４      先端口
５      筆記体（ボールペンリフィール）
５ａ    先端筆記部（ボールペンチップ）
６      グリップ部材
７      スペーサ
８      ノック棒
８ａ    操作部
８ｂ    連結部
８ｃ    スプリング受け部
８ｄ    被押圧突起
８ｅ    係止解除カム
８ｆ    後端係止部
９      ガイドスリット
１１    内筒部材
１１ａ  細径部
１１ｂ  円環部
１１ｃ  スリット
１１ｄ  係止面
１１ｅ  柱状体
１１ｆ  回転防止壁
１２    キャップ部材
１３    クリップ
【図１】
2015066806.tif 000003
【図２】
2015066806.tif 000004
【図３】
2015066806.tif 000005
【図４】
2015066806.tif 000006
【図５】
2015066806.tif 000007
【図６】
2015066806.tif 000008
【図７】
2015066806.tif 000009
【図８】
2015066806.tif 000010
【図９】
2015066806.tif 000011
【図１０】
2015066806.tif 000012
【図１１】
2015066806.tif 000013